(57)【要約】【課題】ハーフトーン処理の処理結果を得ることなく、印刷システムに関する諸条件に適したハーフトーン処理条件の選択が可能となる、印刷システム、方法、プログラム、ハーフトーン処理条件の評価方法、システム、プログラム、ハーフトーン処理条件提示システム、方法、プログラムを提供する。【解決手段】  二種類以上の品質評価用パターンを含む品質評価用チャートを印刷し、品質評価用チャートの読取データに基づき品質評価用パターンの品質を評価し、品質評価情報を生成する。品質評価用パターンとハーフトーン処理条件との類似度が評価された類似度情報が予め記憶されている。品質評価情報と類似度情報に基づいてハーフトーン処理条件の適性予測情報が生成され、適性予測情報を用いてハーフトーン処理条件の選択が支援される。【選択図】図５
2015164236.tif 000002
【特許請求の範囲】
【請求項１】
記録媒体への印刷を実施する印刷部と、
印刷対象の画像データに対してハーフトーン処理を施すハーフトーン処理部と、
前記ハーフトーン処理部におけるハーフトーン処理に用いられるハーフトーン処理条件が二種類以上記憶されるハーフトーン処理条件記憶部と、
前記二種類以上のハーフトーン処理条件の品質評価に用いられる品質評価用チャートであり、予め決められたドット配置規則に従ってドットが配置された品質評価用パターンが二種類以上含まれる品質評価用チャートを生成する品質評価用チャート生成部と、
前記印刷部を制御して、前記生成された品質評価用チャートの印刷を前記印刷部に実施させる印刷制御部と、
前記印刷された品質評価用チャートの読み取りデータを取得する品質評価用チャート読取データ取得部と、
前記取得された品質評価用チャートの読み取りデータから、前記二種類以上の品質評価用パターンのそれぞれの品質を表す品質評価情報を生成する品質評価情報生成部と、
前記記憶されている二種類以上のハーフトーン処理条件のそれぞれについて、前記二種類以上の品質評価用パターンのそれぞれと類似の度合いを表す類似度評価情報が記憶される類似度評価情報記憶部と、
前記生成された品質評価情報、及び前記記憶されている類似度評価情報を用いて、前記記憶されているハーフトーン処理条件の適性予測情報を生成する適性予測情報生成部と、
前記生成された適性予測情報に基づいて、前記記憶されている二種類以上のハーフトーン処理条件の中から、前記ハーフトーン処理部におけるハーフトーン処理に用いられるハーフトーン処理条件を選択するハーフトーン処理条件選択部と、
を備えた印刷システム。
【請求項２】
品質、印刷の際のコスト、印刷の際の生産性のいずれのパラメータを優先させるかを示す優先度パラメータを取得する優先度パラメータ取得部と、
前記取得された優先度パラメータに基づいて、パラメータごとの優先度を示す優先度パラメータ情報を生成する優先度パラメータ情報生成部と、
を備え、
前記ハーフトーン処理条件選択部は、前記取得された優先度パラメータ情報を考慮して、前記記憶されている二種類以上のハーフトーン処理条件の中から、前記ハーフトーン処理部におけるハーフトーン処理に用いられるハーフトーン処理条件を選択する請求項１に記載の印刷システム。
【請求項３】
前記優先度パラメータ取得部は、前記品質のパラメータにおける品質評価項目として、粒状性、一次元状の濃度むら、二次元状の濃度むら、経時による濃度むら、及び平均濃度のうち少なくとも１つの項目を含む優先度パラメータを取得する請求項２に記載の印刷システム。
【請求項４】
前記優先度パラメータ取得部は、前記品質のパラメータにおける品質評価項目として、位置安定性、時間安定性のうち少なくとも１つの項目を含む優先度パラメータ情報を取得する請求項２に記載の印刷システム。
【請求項５】
前記優先度パラメータを設定する優先度パラメータ設定部を備えた請求項２から４のいずれか１項に記載の印刷システム。
【請求項６】
前記二種類以上のハーフトーン処理条件のそれぞれについて、印刷の際のコストを評価したコスト評価情報が記憶されるコスト評価情報記憶部と、
前記二種類以上のハーフトーン処理条件のそれぞれについて、印刷の際の生産性を評価した生産性評価情報が記憶される生産性評価情報記憶部と、
を備え、
前記ハーフトーン処理条件選択部は、前記コスト評価情報及び前記生産性評価情報の少なくともいずれか一方を考慮して、前記記憶されている二種類以上のハーフトーン処理条件の中から、前記ハーフトーン処理部におけるハーフトーン処理に用いられるハーフトーン処理条件を選択する請求項１から５のいずれか１項に記載の印刷システム。
【請求項７】
前記品質評価用チャート生成部は、単位面積あたりのドット数、空間周波数特性、ドットの凝集性の少なくともいずれか１つが異なる品質評価用パターンを二種類以上生成する請求項１から６のいずれか１項に記載の印刷システム。
【請求項８】
前記品質評価用チャート生成部は、前記記録媒体と前記印刷部との相対移動方向と直交する前記記録媒体の幅方向について同一種類の品質評価用パターンを複数配置させた品質評価用パターン群を含み、前記記録媒体と前記印刷部との相対移動方向について異なる種類の品質評価用パターンから成る品質評価用パターン群を配置させた品質評価用チャートを生成する請求項１から７のいずれか１項に記載の印刷システム。
【請求項９】
階調の優先度を表す階調重みを取得する階調重み取得部と、
前記取得された階調重みに基づいて階調における優先度を表す階調重み情報を生成する階調重み情報生成部と、
を備え、
前記適性予測情報生成部は、前記生成された階調重み情報を用いて適性予測情報を生成する請求項１から８のいずれか１項に記載の印刷システム。
【請求項１０】
印刷対象の画像を設定する画像設定部と、
前記設定された印刷対象の画像における階調特性情報を生成する階調特性情報生成部と、を備え、
前記階調重み取得部は、前記生成された階調特性情報に基づく階調重みを取得し、
前記階調重み情報生成部は、前記生成された階調特性情報に基づく階調重みを用いて、自動的に階調重み情報を生成する請求項９に記載の印刷システム。
【請求項１１】
前記階調重みを設定する階調重み設定部を備えた請求項９又は１０に記載の印刷システム。
【請求項１２】
前記類似度評価情報記憶部は、階調ごとに生成された各ハーフトーン処理条件に対応するドット配置について、単位面積あたりに含まれる前記品質評価用パターンの個数に基づいて生成された前記ハーフトーン処理条件と前記品質評価用パターンとの類似度を、前記類似度評価情報として記憶する請求項１から１１のいずれか１項に記載の印刷システム。
【請求項１３】
前記類似度評価情報記憶部は、階調ごとに生成された各ハーフトーン処理条件に対応するドット配置における画素位置ごとの前記品質評価用パターンとの相互相関値が算出され、前記各ハーフトーン処理条件に対応するドット配置の全画素に対する前記相互相関値の平均を前記類似度評価情報として記憶する請求項１から１１のいずれか１項に記載の印刷システム。
【請求項１４】
記録媒体への印刷を実行する印刷部による印刷対象の画像データに対してハーフトーン処理を施すハーフトーン処理工程と、
前記ハーフトーン処理工程におけるハーフトーン処理に用いられるハーフトーン処理条件が二種類以上記憶されるハーフトーン処理条件記憶工程と、
前記二種類以上のハーフトーン処理条件の品質評価に用いられる品質評価用チャートであり、予め決められたドット配置規則に従ってドットが配置された品質評価用パターンが二種類以上含まれる品質評価用チャートを生成する品質評価用チャート生成工程と、
前記生成された品質評価用チャートの印刷を前記印刷部に実施させる品質評価用チャート印刷工程と、
前記印刷された品質評価用チャートの読み取りデータを取得する品質評価用チャート読取データ取得工程と、
前記取得された品質評価用チャートの読み取りデータから、前記二種類以上の品質評価用パターンのそれぞれの品質を表す品質評価情報を生成する品質評価情報生成工程と、
前記記憶されている二種類以上のハーフトーン処理条件のそれぞれについて、前記二種類以上の品質評価用パターンのそれぞれと類似の度合いを表す類似度評価情報が記憶される類似度評価情報記憶工程と、
前記生成された品質評価情報、及び前記記憶されている類似度評価情報を用いて、前記二種類以上のハーフトーン処理条件について、それぞれの適性予測情報を生成する適性予測情報生成工程と、
前記生成された適性予測情報に基づいて、前記記憶されている二種類以上のハーフトーン処理条件の中から、前記ハーフトーン処理工程におけるハーフトーン処理に用いられるハーフトーン処理条件を選択するハーフトーン処理条件選択工程と、
を含む印刷方法。
【請求項１５】
コンピュータに、
記録媒体への印刷を実施する印刷部と、
印刷対象の画像データに対してハーフトーン処理を施すハーフトーン処理部と、
前記ハーフトーン処理部におけるハーフトーン処理に用いられるハーフトーン処理条件が二種類以上記憶されるハーフトーン処理条件記憶部と、
前記二種類以上のハーフトーン処理条件の品質評価に用いられる品質評価用チャートであり、予め決められたドット配置規則に従ってドットが配置された品質評価用パターンが二種類以上含まれる品質評価用チャートを生成する品質評価用チャート生成部と、
前記印刷部を制御して、前記生成された品質評価用チャートの印刷を前記印刷部に実施させる印刷制御部と、
前記印刷された品質評価用チャートの読み取りデータを取得する品質評価用チャート読取データ取得部と、
前記取得された品質評価用チャートの読み取りデータから、前記二種類以上の品質評価用パターンのそれぞれの品質を表す品質評価情報を生成する品質評価情報生成部と、
前記記憶されている二種類以上のハーフトーン処理条件のそれぞれについて、前記二種類以上の品質評価用パターンのそれぞれと類似の度合いを表す類似度評価情報が記憶される類似度評価情報記憶部と、
前記生成された品質評価情報、及び前記記憶されている類似度評価情報を用いて、前記記憶されているハーフトーン処理条件の適性予測情報を生成する適性予測情報生成部と、
前記生成された適性予測情報に基づいて、前記記憶されている二種類以上のハーフトーン処理条件の中から、前記ハーフトーン処理部におけるハーフトーン処理に用いられるハーフトーン処理条件を選択するハーフトーン処理条件選択部、
の機能を実行させる印刷プログラム。
【請求項１６】
印刷対象の画像データに対するハーフトーン処理におけるドット配置の規則を表すハーフトーン処理条件の評価方法であって、
評価対象となる二種類以上のハーフトーン処理条件のそれぞれについて、階調ごとにハーフトーン処理条件に対応するドット配置を生成するドット配置生成工程と、
ドットが規則的に配置された品質評価用パターンを二種類以上生成する品質評価用パターン生成工程と、
前記生成されたハーフトーン処理条件に対応するドット配置について、単位面積あたりに含まれる前記品質評価用パターンの個数を、前記ハーフトーン処理条件ごとの前記品質評価用パターンとの類似度評価情報として生成する類似度評価情報生成工程と、
を含むハーフトーン処理条件の評価方法。
【請求項１７】
印刷対象の画像データの対するハーフトーン処理におけるドット配置の規則を表すハーフトーン処理条件の評価システムであって、
評価対象となる二種類以上のハーフトーン処理条件のそれぞれについて、階調ごとにハーフトーン処理条件に対応するドット配置を生成するドット配置生成部と、
ドットが規則的に配置された品質評価用パターンを二種類以上生成する品質評価用パターン生成部と、
前記生成されたハーフトーン処理条件に対応するドット配置について、単位面積あたりに含まれる前記品質評価用パターンの個数を、前記ハーフトーン処理条件ごとの前記品質評価用パターンとの類似度評価情報として生成する類似度評価情報生成部と、
を備えたハーフトーン処理条件の評価システム。
【請求項１８】
コンピュータに、
印刷対象の画像データの対するハーフトーン処理における、ドット配置の規則を表すハーフトーン処理条件の評価システムにおける評価対象となる二種類以上のハーフトーン処理条件のそれぞれについて、階調ごとにハーフトーン処理条件に対応するドット配置を生成するドット配置生成部と、
ドットが規則的に配置された品質評価用パターンを二種類以上生成する品質評価用パターン生成部と、
前記生成されたハーフトーン処理条件に対応するドット配置について、単位面積あたりに含まれる前記品質評価用パターンの個数を、前記ハーフトーン処理条件ごとの前記品質評価用パターンとの類似度評価情報として生成する類似度評価情報生成部、
の機能を実行させるハーフトーン処理条件の評価プログラム。
【請求項１９】
選択対象の二種類以上のハーフトーン処理条件の中から、印刷装置のハーフトーン処理に適用されるハーフトーン処理条件を提示するハーフトーン処理条件提示システムであって、
前記印刷装置を用いて印刷された、選択対象のハーフトーン処理条件の品質評価に用いられる品質評価用チャートであり、予め決められたドット配置規則に従ってドットが配置された品質評価用パターンが二種類以上含まれる品質評価用チャートの読み取りデータを取得する品質評価用チャート読取データ取得部と、
前記取得された品質評価用チャートの読み取りデータから、前記二種類以上の品質評価用パターンのそれぞれの品質を表す品質評価情報を生成する品質評価情報生成部と、
前記選択対象の二種類以上のハーフトーン処理条件のそれぞれについて、前記二種類以上の品質評価用パターンのそれぞれと類似の度合いを表す類似度評価情報を取得する類似度評価情報取得部と、
前記生成された品質評価情報、及び前記取得された類似度評価情報を用いて、前記記憶されているハーフトーン処理条件の適性予測情報を生成する適性予測情報生成部と、
前記生成された適性予測情報に基づいて、前記選択対象の二種類以上のハーフトーン処理条件の中から、前記印刷装置のハーフトーン処理に用いられるハーフトーン処理条件を提示するハーフトーン処理条件提示部と、
を備えたハーフトーン処理条件提示システム。
【請求項２０】
選択対象の二種類以上のハーフトーン処理条件の中から、印刷装置のハーフトーン処理に適用されるハーフトーン処理条件を提示するハーフトーン処理条件方法であって、
前記印刷装置を用いて印刷された、選択対象のハーフトーン処理条件の品質評価に用いられる品質評価用チャートであり、予め決められたドット配置規則に従ってドットが配置された品質評価用パターンが二種類以上含まれる品質評価用チャートの読み取りデータを取得する品質評価用チャート読取データ取得工程と、
前記取得された品質評価用チャートの読み取りデータから、前記二種類以上の品質評価用パターンのそれぞれの品質を表す品質評価情報を生成する品質評価情報生成工程と、
前記選択対象の二種類以上のハーフトーン処理条件のそれぞれについて、前記二種類以上の品質評価用パターンのそれぞれと類似の度合いを表す類似度評価情報を取得する類似度評価情報取得工程と、
前記生成された品質評価情報、及び前記取得された類似度評価情報を用いて、前記選択対象の二種類以上のハーフトーン処理条件の適性予測情報を生成する適性予測情報生成工程と、
前記生成された適性予測情報に基づいて、前記選択対象の二種類以上のハーフトーン処理条件の中から、前記印刷装置のハーフトーン処理に用いられるハーフトーン処理条件を提示するハーフトーン処理条件提示工程と、
を含むハーフトーン処理条件提示方法。
【請求項２１】
選択対象の二種類以上のハーフトーン処理条件の中から、印刷装置のハーフトーン処理に適用されるハーフトーン処理条件を提示するハーフトーン処理条件提示システムにおけるハーフトーン処理条件提示プログラムであって、
コンピュータに、
前記印刷装置を用いて印刷された、選択対象のハーフトーン処理条件の品質評価に用いられる品質評価用チャートであり、予め決められたドット配置規則に従ってドットが配置された品質評価用パターンが二種類以上含まれる品質評価用チャートの読み取りデータを取得する品質評価用チャート読取データ取得部と、
前記取得された品質評価用チャートの読み取りデータから、前記二種類以上の品質評価用パターンのそれぞれの品質を表す品質評価情報を生成する品質評価情報生成部と、
前記選択対象の二種類以上のハーフトーン処理条件のそれぞれについて、前記二種類以上の品質評価用パターンのそれぞれと類似の度合いを表す類似度評価情報を取得する類似度評価情報取得部と、
前記生成された品質評価情報、及び前記取得された類似度評価情報を用いて、ハーフトーン処理条件の適性予測情報を生成する適性予測情報生成部と、
前記生成された適性予測情報に基づいて、前記選択対象の二種類以上のハーフトーン処理条件の中から、前記印刷装置のハーフトーン処理に用いられるハーフトーン処理条件を提示するハーフトーン処理条件提示部、
の機能を実行させるハーフトーン処理条件提示プログラム。
【発明の詳細な説明】
【技術分野】
【０００１】
本発明は印刷システム、方法、プログラム、ハーフトーン処理条件の評価方法、システム、プログラム、ハーフトーン処理条件提示システム、方法、プログラムに係り、特に、ハーフトーン処理に用いられるハーフトーン処理条件を最適化する技術に関する。
【背景技術】
【０００２】
インクジェット記録装置などの印刷システムは、多階調により表現された印刷対象の画像データに対してハーフトーン処理を施すことで、印刷部の構成に対応した印刷データ（ドットの配置、サイズ等が規定されたデータ）が生成される。
【０００３】
ハーフトーン処理には、組織的ディザ法、誤差拡散法、濃度パターン法、ランダムドット法等を適用することができる。例えば、ベイヤー型の閾値マトリクスを用いた組織的ディザ法は、処理対象画素の画素値と閾値との大小関係を比較して、画素値がしきい値以上の場合にはドットのオンを割り当て、画素値が閾値未満の場合にはドットのオフを割り当てることで、多値の画像データを二値のドットデータに変換する。
【０００４】
特許文献１は、印刷物に適したハーフトーン処理を選択可能な印刷システムが記載されている。同文献に記載の印刷システムは、ドットの配置規則が異なるハーフトーン処理条件（ドットの分布特性が異なる複数の信号処理条件）から１つのハーフトーン処理条件を選択し、選択されたハーフトーン処理条件を用いてハーフトーン処理を実行している。
【先行技術文献】
【特許文献】
【０００５】
【特許文献１】特開２０１２−２２２４３３号公報
【発明の概要】
【発明が解決しようとする課題】
【０００６】
しかしながら、印刷システム、メディア（記録媒体、用紙等）の種類、印刷システムの状態などの条件によって、得意な印刷パターンと苦手な印刷パターンが存在する。以下に、条件と問題点との関係を例示列挙する。
【０００７】
〔印刷システムと印刷パターンとの適性〕
印刷システムがオフセット印刷の場合、網点の面積で階調が表現されるＡＭ網を得意とするものの、高線数のＡＭ網や、網点の密度で階調が表現されるＦＭ網は、着肉性が悪いために印刷された画像にむらが発生することがある。
【０００８】
印刷システムがインクジェット方式の場合、インクジェットヘッドの構造とＡＭ網の周期的な構造が干渉し、ＡＭ網を使用するとクロストークと呼ばれる吐出性能の低下が発生する。
【０００９】
〔メディアの種類と印刷パターンとの適性〕
表面が平滑なコート紙を用いる場合、高線数のＡＭ網、ＦＭ網を用いても問題は発生しにくいものの、表面に凹凸がある非コート紙を用いる場合、高線数のＡＭ網、ＦＭ網を用いるとハーフトーン処理条件が崩れ、特異な濃度むらやモトル状の粒状感が生じる。
【００１０】
インクの吸収性がよい写真用紙等を用いる場合、インクがメディアに素早く吸収されるためににじみが発生しにくいものの、インクの吸収性が悪いコート紙等を用いる場合、にじみが発生し問題となる。
【００１１】
さらに、インクの吸収性が悪いコート紙等を用いてインクジェット方式で印刷を行う場合、隣接する画素間でドットが合一する着弾干渉現象が発生し、しばしば、線再現性の悪化、粒状性の悪化が発生する。
【００１２】
〔印刷システムの状態と印刷パターンとの適性〕
印刷システムがオフセット印刷の場合、印圧の偏りにより印刷された画像に濃度むらが発生する。低線数のＡＭ網を用いると、印圧の偏りに起因する濃度むらは見えにくくなる。
【００１３】
印刷システムがインクジェット方式の場合、ノズルの故障により印刷される画像にすじが発生することがある。低周波数のドット配置を実現するハーフトーン処理条件を用いる場合、数画素凝集的にドットが配置されたハーフトーン処理条件を用いる場合は、ノズルの故障に起因するすじが見えにくくなる。
【００１４】
すなわち、印刷しようとするパターンと、印刷システム、メディアの種類、印刷システムの状態との間には、関係性がある。従来は、条件に応じて経験的にハーフトーン処理条件を選択する対応、条件に応じてシステムを調整する対応などにより、上記した課題を解決している。
【００１５】
特許文献１に記載の印刷システムは、信号処理条件（ハーフトーン処理条件）の生産適性を把握することができ、生産適性のよい信号処理条件を選択することが可能であるものの、信号処理条件を評価する際に、ハーフトーン処理部の演算結果を再現している（実際にハーフトーン処理と同等の処理を実行している）ので、評価結果を得るまでの時間がかかってしまう。
【００１６】
本発明はこのような事情に鑑みてなされたもので、ハーフトーン処理の処理結果を得ることなく、印刷システムに関する諸条件に適したハーフトーン処理条件の選択が可能となる、印刷システム、方法、プログラム、ハーフトーン処理条件の評価方法、システム、プログラム、ハーフトーン処理条件提示システム、方法、プログラムを提供することを目的とする。
【課題を解決するための手段】
【００１７】
上記目的を達成するために、記録媒体への印刷を実施する印刷部と、印刷対象の画像データに対してハーフトーン処理を施すハーフトーン処理部と、ハーフトーン処理部におけるハーフトーン処理に用いられるハーフトーン処理条件が二種類以上記憶されるハーフトーン処理条件記憶部と、二種類以上のハーフトーン処理条件の品質評価に用いられる品質評価用チャートであり、予め決められたドット配置規則に従ってドットが配置された品質評価用パターンが二種類以上含まれる品質評価用チャートを生成する品質評価用チャート生成部と、印刷部を制御して、生成された品質評価用チャートの印刷を印刷部に実施させる印刷制御部と、印刷された品質評価用チャートの読み取りデータを取得する品質評価用チャート読取データ取得部と、取得された品質評価用チャートの読み取りデータから、二種類以上の品質評価用パターンのそれぞれの品質を表す品質評価情報を生成する品質評価情報生成部と、記憶されている二種類以上のハーフトーン処理条件のそれぞれについて、二種類以上の品質評価用パターンのそれぞれと類似の度合いを表す類似度評価情報が記憶される類似度評価情報記憶部と、生成された品質評価情報、及び記憶されている類似度評価情報を用いて、記憶されているハーフトーン処理条件の適性予測情報を生成する適性予測情報生成部と、生成された適性予測情報に基づいて、記憶されている二種類以上のハーフトーン処理条件の中から、ハーフトーン処理部におけるハーフトーン処理に用いられるハーフトーン処理条件を選択するハーフトーン処理条件選択部と、を備えた印刷システムを提供する。
【発明の効果】
【００１８】
本発明によれば、ハーフトーン処理に用いられるハーフトーン処理条件が二種類以上記憶される印刷システムにおいて、ハーフトーン処理条件との類似の度合いが評価されている品質評価用パターンを二種類以上含む品質評価用チャートを生成し、品質評価用チャートの読み取りデータに基づき品質評価用チャートの品質評価情報が生成される。
【００１９】
生成された品質評価用パターンごとの品質評価情報と、品質評価用パターンとハーフトーン処理条件との類似の度合いを表す類似度評価情報を用いて、ハーフトーン処理条件ごとの適性予測情報が生成される。
【００２０】
ハーフトーン処理の処理結果を得ることなく、生成された適性予測情報に基づいて、印刷システム、メディアの種類、印刷システムの状態に応じて、印刷に関する諸条件とのバランスが取れたハーフトーン処理条件を選択支援が可能となる。
【図面の簡単な説明】
【００２１】
【図１】本発明の実施形態に係る印刷システムの全体構成を示すブロック図
【図２】図１に示す印刷部の構成例を示すブロック図
【図３】図１に示す画像処理部の構成例を示すブロック図
【図４】図１に示す画像処理部における画像処理の流れを示すフローチャート
【図５】図１に示す印刷システムに適用されるハーフトーン処理条件選択支援の流れを示すフローチャート
【図６】類似度テーブルの一例を模式的に示す説明図
【図７】品質評価テーブルの一例を模式的に示す説明図
【図８】品質評価テーブルの他の例を模式的に示す説明図
【図９】品質予測値テーブルの一例を模式的に示す説明図
【図１０】ＱＣＤ重みテーブルの一例を模式的に示す説明図
【図１１】個別品質重みテーブルの一例を模式的に示す説明図
【図１２】階調重みテーブルの一例を模式的に示す説明図
【図１３】印刷対象の画像に基づく階調重みテーブルの自動変更の流れを示すフローチャート
【図１４】品質評価用パターンの一例を模式的に図示した説明図
【図１５】品質評価用パターンの他の例を模式的に図示した説明図
【図１６】品質評価用パターンの他の例を模式的に図示した説明図
【図１７】品質評価用パターンの他の例を模式的に図示した説明図
【図１８】品質評価用パターンの他の例を模式的に図示した説明図
【図１９】品質評価用パターンの他の例を模式的に図示した説明図
【図２０】図１４から図１９に示す品質評価用パターンのドット配置規則の説明図
【図２１】品質評価用チャートの一例を模式的に示す説明図
【図２２】品質評価用チャートの他の例を模式的に示す説明図
【図２３】面内むら評価の説明図
【図２４】経時ムラ評価の説明図
【図２５】類似度テーブル生成の説明図
【図２６】類似度テーブル生成の流れを示すフローチャート
【図２７】印刷システムの他の適用例であるインクジェット記録装置の全体構成図
【図２８】フルライン型インクジェットヘッドの説明図
【発明を実施するための形態】
【００２２】
以下、添付図面に従って本発明の好ましい実施の形態について詳説する。
【００２３】
〔印刷システムの全体構成〕
図１は、本発明の実施形態に係る印刷システムの全体構成を示すブロック図である。同図に示す印刷システム１０は、主として、記録媒体への印刷を実施する印刷部１２と、印刷部１２を制御する印刷制御部１４と、を備えている。
【００２４】
また、印刷システム１０は、印刷対象の画像データを取得する画像データ取得部１６と、取得された画像データに対して画像処理を施し、印刷部１２へ提供される印刷データ（ドットデータ）を生成する画像処理部１８と、を備えている。
【００２５】
さらに、画像処理部１８によるハーフトーン処理に用いられるハーフトーン処理条件が二種類以上記憶されるハーフトーン（ＨＴ）処理条件記憶部２０と、ハーフトーン処理条件記憶部２０に記憶されている二種類以上のハーフトーン処理条件の中から、ハーフトーン処理に用いられるハーフトーン処理条件を提示するハーフトーン（ＨＴ）処理条件提示部２１と、ハーフトーン処理に用いられるハーフトーン処理条件を選択するハーフトーン（ＨＴ）処理条件選択部２２と、を備えている。
【００２６】
本例に示す印刷システム１０は、ハーフトーン処理条件の選択を支援する機能を有している。ハーフトーン処理条件選択支援機能を実現する構成として、印刷システム１０は、予め決められたドット配置規則に従ってドットが配置される品質評価用チャート（図２１，２２に符号２４０，２７０を付して図示）を生成する品質評価用チャート生成部２４と、印刷部１２によって印刷された品質評価用チャートの読取データを取得する読取データ取得部２６と、読取データ取得部２６により取得された品質評価用チャートの読取データから品質評価用パターンの品質を表す品質評価テーブル（図５に符号１０６を付して図示）を生成する品質評価テーブル生成部２８と、品質評価テーブルが記憶される品質評価テーブル記憶部３０と、を備えている。
【００２７】
図１に図示した品質評価テーブル生成部２８は、品質評価テーブル、品質評価関数、品質評価値などの品質評価情報を生成する品質評価情報生成部として機能している。
【００２８】
また、ハーフトーン処理条件選択支援機能を実現する構成として、印刷システム１０は、ハーフトーン処理条件と品質評価用パターンとの類似度（類似の度合い）を表す類似度テーブル（図５に符号１００を付して図示）が記憶される類似度テーブル記憶部３２と、ハーフトーン処理条件ごとの品質予測値が記憶された品質予測値テーブル（図５に符号１０８を付して図示）を生成する品質予測値テーブル生成部３３と、品質予測値テーブルが記憶される品質予測値テーブル記憶部３５と、を備えている。
【００２９】
品質予測値、品質予測値テーブルは、印刷に対するハーフトーン処理条件の適性を予測する適性予測情報であり、図１に図示した品質予測値テーブル生成部３３は適性予測情報生成部として機能し、品質予測値テーブル記憶部３５は適性予測情報記憶部として機能している。
【００３０】
さらに、ハーフトーン処理条件選択支援機能を実現する構成として、印刷システム１０は、ハーフトーン処理条件ごとの印刷の際のコストを評価して生成されたコスト評価テーブル（図１中不図示、図５に符号１０２を付して図示）が記憶されるコスト評価テーブル記憶部３４と、ハーフトーン処理条件ごとの印刷の際の生産性を評価して生成された生産性評価テーブル（図５に符号１０４を付して図示）が記憶される生産性評価テーブル記憶部３６とを備えている、
コスト評価テーブル記憶部３４は、コスト評価テーブル、コスト評価関数、コスト評価値などのコスト評価情報が記憶されるコスト評価情報記憶部として機能している。また、生産性評価テーブル記憶部３６は、生産性評価テーブル、生産性評価関数、生産性評価値などの生産性評価情報が記憶される生産性評価情報記憶部として機能している。
【００３１】
さらにまた、ハーフトーン処理条件選択支援機能を実現する構成として、優先度パラメータ（評価項目の優先度を表す指標）を取得する優先度パラメータ取得部３８と、取得された優先度パラメータに基づいて優先度パラメータテーブル（図５に符号１１０を付して図示）を生成する優先度パラメータテーブル生成部４０と、生成された優先度パラメータテーブルが記憶される優先度パラメータテーブル記憶部４２と、を備えている。優先度パラメータテーブル生成部４０、優先度パラメータテーブル記憶部４２は、優先度パラメータ情報生成部、優先度パラメータ情報記憶部として機能する。
【００３２】
システム制御部４４は、印刷システム１０を構成する各部を統括的に制御する。システム制御部４４は、情報（データ）入力、処理結果等に基づき、装置各部へ指令信号を送出する機能を有している。また、各種情報の記憶部への情報の書き込み、各種記憶部からの情報の読み出しを制御するメモリコントローラとしての機能を有している。
【００３３】
操作部４６は、ユーザの操作によって印刷システム１０へ情報を入力する手段として機能する。操作部４６の例として、キーボード、マウス、ジョイスティック、タッチパネルなどが挙げられる。
【００３４】
表示部４８は、印刷システム１０における各種情報が表示される手段である。各種情報の例として、システムの稼働状況、システムの設定状況、各種設定画面などが挙げられる。表示部４８は、ＬＣＤモニタなどのモニタ装置が適用される。
【００３５】
〔印刷部の構成例〕
図２は、印刷部１２の構成例を示すブロック図である。同図には、印刷部１２としてインクジェット方式が適用される場合の構成例を示す。同図に示す印刷部１２は、印刷データ（ドットデータ、図４に符号８６を付して図示）を取得する印刷データ取得部５０と、駆動波形が記憶される駆動波形記憶部５２と、駆動電源部５４から電力供給を受け、駆動波形を電力増幅してインクジェット（ＩＪ）ヘッド５６へ供給される駆動信号（駆動電圧）を生成する駆動信号生成部５８と、を備えている。
【００３６】
図２には、インクジェット方式が適用される印刷部を例示したが、本発明に係る印刷システムに具備される印刷部はインクジェット方式に限定されない。例えば、電子写真方式などの他のオンデマンド方式の印刷を適用することが可能である。また、オフセット印刷等の印刷版を用いた印刷方式を適用することも可能である。
【００３７】
〔画像処理部の構成例〕
図３は、画像処理部１８の構成例を示すブロック図である。同図には、印刷部１２としてインクジェット方式が適用される場合の画像処理部１８の構成例を示す。同図に示す画像処理部１８は、画像データ（例えば、０から２５５の階調値で表されるラスターデータ）を取得する画像データ取得部６０と、取得された画像データに対して色変換処理を施す色変換処理部６２と、色変換処理が施された画像データに対して色分解（分版）処理を施す色分解処理部６４と、を備えている。
【００３８】
また、画像処理部１８は、各色に分解された画像データに対してガンマ補正、濃度むら補正などの補正処理を施す補正処理部６６と、補正処理が施された各色の画像データに対してハーフトーン処理を施すハーフトーン処理部６８と、ハーフトーン処理によって生成された印刷データ（ドットデータ）を記憶する印刷データ記憶部７０と、を備えている。
【００３９】
ハーフトーン処理には、ディザ方式、誤差拡散方式、ＤＢＳ（direct binary search）方式などを適用することが可能である。
【００４０】
画像処理部１８によって生成された印刷データは、二値（ドットのオンオフ）により階調が表現されるものでもよいし、ドットのサイズにより多階調（中間調）が表現されるものでもよいし、１画素を構成するドット数により多階調（中間調）が表現されるものでもよい。
【００４１】
図３には、印刷部１２（図１、２参照）としてインクジェット方式が適用される場合の画像処理部１８の構成を例示したが、画像処理部１８の構成は、印刷部１２に適用される印刷方式に応じた構成が採用される。
【００４２】
〔画像処理の説明〕
図４は、画像処理部１８（図１、３参照）における画像処理の流れを示すフローチャートである。画像データ８０が取得されると（ステップＳ１０：画像データ取得工程）、取得された画像データ８０に対して色変換処理が施される（ステップＳ１２：色変換処理工程）。
【００４３】
色変換処理の例として、ＲＧＢ方式の画像データをインクの基本色であるＣ（シアン）、Ｍ（マゼンタ）、Ｙ（イエロー）、Ｋ（黒）により色表現がされたＣＭＹＫ方式の画像データへ変換する処理が挙げられる。
【００４４】
ＣＭＹＫ方式の画像データ８２が生成されると、ＣＭＹＫ方式の画像データ８２を色ごとの画像データに分解する色分解処理が施され（ステップＳ１４：色分解処理工程）、ＣＭＹＫ各色の画像データ８４が生成される。
【００４５】
ＣＭＹＫ各色の画像データ８４には、ガンマ補正、濃度むら補正等の補正処理が施され（ステップＳ１６：補正処理工程）、ハーフトーン処理が施され（ステップＳ１８：ハーフトーン処理工程）、二値、又は多値の印刷データ（ドットデータ）８６が生成される。
【００４６】
〔ハーフトーン処理条件選択支援の説明〕
次に、印刷システム１０に搭載されるハーフトーン処理条件選択支援機能について詳細に説明する。図５は、図１に示す印刷システム１０に適用されるハーフトーン処理条件選択支援の流れを示すフローチャートである。
【００４７】
先に説明したように、印刷システム１０は、二種類以上のハーフトーン処理条件がハーフトーン処理条件記憶部２０（図１参照）に記憶されている。ハーフトーン処理条件記憶部２０に記憶されるハーフトーン処理条件のそれぞれについて、階調ごとに品質評価用パターン（図１４から図１９に符号２２０から２３０を付して図示）との類似度（類似の度合い）が計算され、類似度テーブル１００が生成されている。生成された類似度テーブル１００は、類似度テーブル記憶部３２（図１参照）に記憶される。
【００４８】
品質評価用パターンは、予め決められたドット配置規則（単位面積あたりのドット数、ドット配置の周波数空間における空間周波数特性（ドットの配置間隔）、ドットの凝集性等）に従ってドットが配置されたパターンであり、ハーフトーン処理の結果得られるドット配置のように複雑なドット配置ではなく、規則性を持ったパターンである（詳細後述）。
【００４９】
品質評価用パターンが二種類以上含まれる品質評価用チャート（図２１、２２参照）は、品質評価用チャート生成部２４（図１参照）によって予め生成されている。
【００５０】
また、ハーフトーン処理条件記憶部２０に記憶されるハーフトーン処理条件のそれぞれに対して、システム開発者が印刷の際のコストについて評価して生成されたコスト評価テーブル１０２が、コスト評価テーブル記憶部３４（図１参照）に予め記憶される。
【００５１】
さらに、システム開発者が印刷の際の生産性について評価して生成された生産性評価テーブル１０４が、生産性評価テーブル記憶部３６（図１参照）に予め記憶されている。
【００５２】
ここで、「印刷の際のコスト」とは、主としてインク使用量の観点から決められる。また、「印刷の際の生産性」とは、主としハーフトーン処理に費やされる時間（処理時間）の観点から決められる。
【００５３】
まず、印刷部１２（図１参照）を用いて、品質評価用チャートが印刷される（ステップＳ１００：品質評価用チャート印刷工程）。
【００５４】
次に、印刷された品質評価用チャートがスキャンされ、品質評価用チャートの読取データ（スキャン画像）が取得される（ステップＳ１０２：品質評価用チャート読取データ取得工程）。品質評価用チャートの読み取りは、印刷システム１０とは分離した読取装置（スキャナ）を用いてもよいし、印刷システム１０に具備されるインラインスキャナを用いてもよい。
【００５５】
品質評価テーブル生成部２８（図１参照）は、品質評価用チャートの読取データから、各品質評価用パターンの領域を判断し、各品質評価用パターンの領域に対して、予め決められた品質評価項目について品質評価値を算出し、品質評価テーブル１０６が生成される（ステップＳ１０４：品質評価テーブル生成工程）。
【００５６】
図５の品質評価テーブル生成工程は、品質評価情報である品質評価値、品質評価テーブルを生成する品質評価情報生成工程として機能している。
【００５７】
品質評価テーブル１０６が生成されると、予め記憶されている類似度テーブル１００、及び品質評価テーブル１０６を用いて、各ハーフトーン処理条件の品質予測値（品質総合スコア）が計算され（ステップＳ１０６：品質予測値算出工程）、品質予測値テーブル１０８が生成される（ステップＳ１０８：品質予測値テーブル生成工程）。
【００５８】
図５の品質予測値テーブル生成工程は、適性予測情報である品質予測値、品質予測値テーブルを生成する適性予測情報生成工程として機能している。
【００５９】
品質予測値テーブル１０８が生成されると、品質について最適なハーフトーン処理条件が提示され（ステップＳ１１０：ハーフトーン処理条件提示工程）、ハーフトーン処理に用いられるハーフトーン処理条件が選択される（ステップＳ１１２：ハーフトーン処理条件選択工程）。印刷の際に選択されたハーフトーン処理条件を用いてハーフトーン処理が実行される。
【００６０】
〔ハーフトーン処理条件選択の例〕
ハーフトーン処理条件を選択する態様として、最適なハーフトーン処理条件を表示装置（モニタ装置）に表示させ、ユーザが操作部４６（図１参照）を用いて選択情報を入力する態様を採用することができる。また、最適なハーフトーン処理条件が提示されると、提示されたハーフトーン処理条件をハーフトーン処理に用いるハーフトーン処理条件として印刷システム１０（図１参照）が自動的に選択（設定）する態様を採用することができる。
【００６１】
印刷システム１０が自動的にハーフトーン処理条件を設定する態様では、ハーフトーン処理条件提示工程（図５のステップＳ１１０）を省略してもよい。
【００６２】
〔優先度パラメータテーブルを用いた構成例〕
図５に図示した優先度パラメータテーブル１１０は、品質（Ｑ）、印刷の際のコスト（Ｃ）、印刷の際の生産性（Ｄ）の優先度（重み）が規定されたＱＣＤ重みテーブル（図５中不図示、図１０に符号１１０Ａを付して図示）、及び品質評価項目の優先度（重み）が規定された個別品質重みテーブル（図５中不図示、図１１に符号１１０Ｂを付して図示）から構成される。優先度パラメータテーブル１１０は、優先度パラメータ情報として利用される。
【００６３】
優先度パラメータ取得部３８（図１参照）によって、品質、印刷の際のコスト、印刷の際の生産性のいずれを優先させるかを示す優先度パラメータ、品質評価項目のいずれを優先させるかを示す優先度パラメータが取得されると、取得された品質、印刷の際のコスト、印刷の際の生産性の優先度、品質評価項目の優先度を示す優先度パラメータテーブル１１０が生成される。
【００６４】
優先度パラメータテーブル１１０を生成する際に、ユーザにより操作部４６（図１参照）を用いて優先度パラメータが設定され、設定された優先度パラメータが優先度パラメータ取得部３８により取得される態様が可能である。かかる態様では、操作部４６は優先度パラメータを設定する優先度パラメータ設定部として機能する。
【００６５】
図５に示すハーフトーン処理条件提示工程では、品質予測値テーブル１０８と、コスト評価テーブル１０２、生産性評価テーブル１０４、優先度パラメータテーブル１１０（図１０に図示したＱＣＤ重みテーブル１１０Ａ）を用いて、品質、印刷の際のコスト、印刷の際の生産性のバランスが最もよいと予測されるハーフトーン処理条件の提示が可能となる。
【００６６】
そして、品質優先、印刷の際のコスト優先、印刷の際の生産性優先、といったハーフトーン処理条件が提示されることで、品質、印刷の際のコスト、印刷の際の生産性のバランスが最もよいと予測されるハーフトーン処理条件の選択が可能である。
【００６７】
また、品質評価項目についての優先度パラメータを考慮することで、品質に関して最適なハーフトーン処理条件の選択が可能である。品質評価項目間の優先度が規定された個別品質重みテーブルは、品質予測値を計算する品質予測値計算工程（図５のステップＳ１０６）に適用することができる。個別品質重みテーブルを用いて品質予測値が計算されることで、品質評価項目についての優先度が考慮された品質予測値が算出される。
【００６８】
〔階調重みテーブルを用いた構成例〕
図５に図示した階調重みテーブル１１２は、シャドー側優先、ハイライト側優先といった、階調の優先度（重み）が規定されている。階調重みテーブル１１２は、階調重み情報として利用される。
【００６９】
優先度パラメータ取得部３８を用いて、階調の優先度を表す階調重みが取得されると、取得された階調重みに基づき階調重みテーブル１１２が生成される。階調重みテーブル１１２は、優先度パラメータテーブル生成部４０により生成される。
【００７０】
優先度パラメータ取得部３８は、階調の優先度を表す階調重みを取得する階調重み取得部として機能し、優先度パラメータテーブル生成部４０は階調重み情報を生成する階調重み情報生成部として機能する。
【００７１】
階調重みを取得する態様として、ユーザにより操作部４６（図１参照）を用いて階調重みが設定され、設定された階調重みが優先度パラメータ取得部３８により取得される態様がある。かかる態様では、操作部４６は階調重み設定部として機能する。
【００７２】
詳細は後述するが、印刷対象の画像（ユーザジョブ画像）に合わせて、階調重みテーブル１１２が自動的に変更される態様も可能である。かかる態様では、ユーザジョブ画像が変更されるごとに階調重みテーブル１１２が変更され、ハーフトーン処理条件の選択が実行される。
【００７３】
ハーフトーン処理条件選択は、印刷システム１０の立ち上げ時に実行される。また、印刷システム（印刷部１２）の調整、変更、交換等がされた際に実行してもよい。ハーフトーン処理条件は使用されるインクの色ごとに決められるので、ハーフトーン処理条件の選択は使用されるインクの色ごとにされる。
【００７４】
〔類似度テーブルの説明〕
図６は、類似度テーブル１００の一例を模式的に示す説明図である。図６に示す類似度テーブル１００は、三種類のハーフトーン処理条件（仮に、ハーフトーン１、２、３とする。）のそれぞれについて、三種類の品質評価用パターン（仮に、パターンＡ、Ｂ、Ｃとする。）との類似度を表す評価値（以下、「類似度評価値」と記載する）が記憶されている。
【００７５】
また、各品質評価用パターンは四種類の階調（仮に、階調ａ、ｂ、ｃ、ｄとする。）について、各ハーフトーン処理条件との類似度評価値が算出され、記憶される。さらに、階調ごとの類似度評価値を合計した値（「トータル」欄に記載された類似度評価代表値）が算出され、記憶される。
【００７６】
図６の類似度テーブル１００に記憶される類似度評価値は、数値が大きいほど類似の度合いが高い（類似している）ことを表している。例えば、パターンＡはハーフトーン１との類似の度合いが高いといえる。
【００７７】
〔品質評価テーブルの説明〕
図７は、品質評価テーブル１０６（図５参照）の一例を模式的に示す説明図である。図７に図示した品質評価テーブル１０６Ａは、三種類の品質評価用パターン（仮に、パターンＡ、Ｂ、Ｃとする。）について、五種類の品質評価項目（平均濃度、粒状性、スジ（一次元状の濃度むら）、面内むら（二次元状の濃度むら）、経時むら）における品質の評価値（品質評価値）が算出され、記憶されている。
【００７８】
図７に示す品質評価テーブル１０６Ａでは、品質評価項目ごとに品質評価値が規格化されている。
【００７９】
図８は、品質評価テーブル１０６（図５参照）の他の例を模式的に示す説明図である。図８に示す品質評価テーブル１０６Ｂは、三種類の品質評価用パターン（仮に、パターンＡ、Ｂ、Ｃとする。）について、二種類の品質評価項目（位置安定性、時間安定性）における品質の評価値（品質評価値）が算出され、記憶されている。
【００８０】
図７、及び図８に示した品質評価項目は一例であり、品質評価項目は、適宜、追加、削除、変更等をすることが可能である。
【００８１】
〔品質予測値テーブルの説明〕
図９は、品質予測値テーブル１０８の一例を模式的に示す説明図である。図９に示す品質予測値テーブル１０８は、図６に図示した類似度テーブル１００の評価値と、図８に図示した品質評価テーブル１０６Ｂとの演算（例えば、対応する評価値同士の乗算）により品質予測における評価値（仮に、評価値１、評価値２とする。）が算出され、算出された品質予測における評価値から、品質予測値が算出されている。
【００８２】
図９に示す品質予測値テーブル１０８は、二種類の評価値（評価値１、評価値２）が記憶されている。評価値１は、ハーフトーン処理条件ごと、パターンごとの類似度評価代表値とパターンごとの位置安定性の評価値とを乗算して算出されている。
【００８３】
また、評価値２は、ハーフトーン処理条件ごと、パターンごとの類似度評価代表値と、パターンごとの時間安定性の評価値とを乗算して算出されている。ハーフトーン処理条件ごと、パターンごとに評価値１と評価値２とを加算してトータル評価値が算出される。
【００８４】
さらに、ハーフトーン処理条件ごとの各パターンのトータル評価値を合計した値が、ハーフトーン処理条件ごとの品質予測値とされる。
【００８５】
ここで、「位置安定性」とは、図７に図示した、平均濃度、粒状性、スジ、面内むらを包括する概念や、平均濃度、粒状性、スジ、面内むらの少なくともいずれか１つとすることができる。例えば、面内むらを位置安定性とする態様が挙げられる。また、「時間安定性」とは、図７に図示した経時むらを含む概念とすることができる。
【００８６】
図９に図示した品質予測値テーブル１０８では、ハーフトーン１、２、３の品質予測値の関係が、ハーフトーン１の品質予測値＞ハーフトーン３の品質予測値＞ハーフトーン２の品質予測値となり、位置安定性、時間安定性の観点で各品質評価用パターンの品質を評価した結果、ハーフトーン２が最適なハーフトーン処理条件として提示される。
【００８７】
なお、最適ハーフトーン処理条件の提示形態は、ハーフトーン処理条件ごとの品質予測値を提示してもよい。
【００８８】
図９に図示した品質予測値テーブル１０８を構成する評価値は、図６に図示した類似度テーブル１００、及び図８に図示した品質評価テーブル１０６Ｂ（図７に図示した品質評価テーブル１０６Ａ）を用いて生成されればよく、上記した形態に限定されない。
【００８９】
図９に図示した品質予測値テーブル１０８における品質評価値（Ｅｔｏｔａｌ）は、次式〔数１０〕により算出される。
【００９０】
【数１０】
2015164236.tif 000003
【００９１】
上記〔数１０〕において、ｑ、ｃ、ｄは、それぞれ品質項目値、コスト項目値、生産性項目の値である（図６、７参照）。また、Ｗ１（ｑ）、Ｗ１（ｃ）、Ｗ１（ｄ）は、それぞれ優先度パラメータテーブルの品質重み、コスト重み、生産性重みである（図１０参照、詳細後述）。
【００９２】
また、ｅｑ（ｈｔ，ｐａｔ）は、ハーフトーン処理条件（ｈｔ）ごとの品質評価用パターン（ｐａｔ）に対する品質評価値（図９の評価値１、２）、ｅｃ（ｈｔ）は、ハーフトーン処理条件（ｈｔ）ごとのコスト評価値（図５のコスト評価テーブル１０２に記憶されている情報、事前設定の固定値）、ｅｄ（ｈｔ）は、ハーフトーン処理条件（ｈｔ）ごとの生産性評価値（図５の生産性評価テーブル１０４に記憶されている情報、事前設定の固定値）である。
【００９３】
上記〔数１０〕における品質評価値ｅｑ（ｈｔ，ｐａｔ）は、次式〔数１１〕で表される。
【００９４】
【数１１】
2015164236.tif 000004
【００９５】
上記〔数１１〕におけるＷ２（ｉｔｅｍ）は、個別品質重みテーブル１１０Ｂ（図１１参照、詳細後述）における品質項目（ｉｔｅｍ）ごとの重みであり、Ｑ（ｐａｔ，ｉｔｅｍ）は、品質評価テーブル（図７の符号１０６Ａ、図８の符号１０６Ｂ）における品質評価パターン（ｐａｔ）ごと、品質評価項目（ｉｔｅｍ）ごとの評価値である。
【００９６】
また、上記〔数１１〕におけるＷ３（ｌｅｖ）は、階調重みテーブル１１２（図１２参照、詳細後述）における階調（ｌｅｖ）ごとの重みであり、Ｓ（ｈｔ，ｐａｔ，ｌｅｖ）は、類似度テーブル１００（図６参照）におけるハーフトーン処理条件（ｈｔ）ごと、品質評価パターン（ｐａｔ）ごと、階調（ｌｅｖ）ごとの類似度評価値である。
【００９７】
〔優先度パラメータテーブルの説明〕
図１０は、優先度パラメータテーブル１１０の一形態である、ＱＣＤ重みテーブルの一例を模式的に示す説明図である。同図に示すＱＣＤ重みテーブル１１０Ａは、品質、印刷の際のコスト、印刷の際の生産性の重み（バランス）が決められており、数値が大きいほど優先順位が高くされ、数値が小さいほど優先順位が低くされる。
【００９８】
図１０に図示したＱＣＤ重みテーブル１１０Ａは、品質重視であり、品質が最も重視され、次に生産性が重視され、コストが最も軽視されるものである。
【００９９】
図１の優先度パラメータ取得部３８により取得された、品質、印刷の際のコスト、印刷の際の生産性の優先度を表す優先度パラメータ情報に応じて、「生産性重視」、「コスト重視」、「生産性重視」といったＱＣＤ重みテーブルが生成される。
【０１００】
図１１は、優先度パラメータテーブル１１０の一形態である、個別品質重みテーブルの一例を模式的に示す説明図である。同図に示す個別品質重みテーブル１１０Ｂは、五種類の品質評価項目について、各品質項目間の重みが決められており、数値が高いほど優先順位が高くされ、数値が低いほど優先順位が低くされる。
【０１０１】
図１１に図示した個別品質重みテーブル１１０Ｂは、経時むら、面内むら、スジ、粒状性、平均濃度の順に優先度が高くなっている。
【０１０２】
図１の優先度パラメータ取得部３８により取得された、品質評価項目の優先度を表す優先度パラメータ情報に応じて、品質評価項目の優先順位（重み）が変えられた個別品質重みテーブルが生成される。
【０１０３】
〔階調重みテーブルの説明〕
図１２は、階調重み情報として利用される、階調重みテーブルの一例を模式的に示す説明図である。同図に示す階調重みテーブル１１２は、四種類の階調（階調ａ＜階調ｂ＜階調ｃ＜階調ｄ）についての優先度が決められている。図１２に図示した階調重みテーブル１１２は、階調値が最も高い階調ｄの優先度が最も高く、階調値が低くなるに従って優先度が低くなっている。
【０１０４】
図１の優先度パラメータ取得部３８により取得された階調の優先度を表す優先度パラメータ情報に応じて、「ハイライト側優先」、「シャドー側優先」、「中間調優先」といった階調重みテーブルが生成される。
【０１０５】
上記の如く構成された印刷システム、及び印刷方法によれば、二種類以上のハーフトーン処理条件が記憶される印刷システム１０において、予め決められたドット配置規則に従ってドットが配置された品質評価用パターンと、各ハーフトーン処理条件との類似の度合いを表す類似度テーブル１００が準備されている。
【０１０６】
印刷部１２を用いて印刷された品質評価用パターンの読み取りデータが取得され、品質評価用パターンごとに品質評価項目についての評価がされ、品質評価テーブル１０６が生成される。
【０１０７】
品質評価テーブル１０６、及び類似度テーブル１００を用いてハーフトーン処理条件ごとの品質予測値が算出され、品質予測値テーブル１０８が生成され、品質が考慮されたハーフトーン処理条件が提示され、品質の観点で最適なハーフトーン処理条件を選択することができる。
【０１０８】
予め決められたドット配置規則に従ってドットが配置された品質評価用パターンの印刷結果から、ハーフトーン処理条件ごとの品質が評価されるので、ハーフトーン処理を実行することなく、ハーフトーン処理条件を評価することができ、ハーフトーン処理条件の選択における品質評価に費やされる期間の短期間化が可能となる。
【０１０９】
また、品質、印刷の際のコスト、印刷の際の生産性の優先度を表す優先度パラメータ情報に基づき、品質、印刷の際のコスト、印刷の際の生産性のバランスが考慮されたハーフトーン処理条件が提示され、品質、印刷の際のコスト、印刷の際の生産性のバランスが最もよいハーフトーン処理条件を選択することができる。
【０１１０】
さらに、階調の優先度を表す優先度パラメータ情報に基づくハーフトーン処理条件が提示され、階調の優先度が考慮されたハーフトーン処理条件の選択が可能となる。
【０１１１】
〔階調重みテーブルの応用例〕
図１３は、印刷対象の画像に基づく階調重みテーブルの自動生成の流れを示すフローチャートである。印刷対象の画像（ユーザジョブ画像）の階調特性に応じて階調重みテーブル１１２（図５、１２参照）が自動的に生成され、印刷対象の画像の階調特性に応じた階調重みが考慮されたハーフトーン処理条件の選択が可能となる。
【０１１２】
まず、印刷対象の画像が登録される（ステップＳ２００：印刷対象画像登録工程）。次に、登録された画像の階調特性情報２００が取得される（ステップＳ２０２：階調特性情報取得工程）。
【０１１３】
階調特性情報を取得する際に、印刷対象の画像は色分解され、色ごとの階調特性情報が取得される。取得される階調特性情報の一例として、階調ごとの出現頻度を表すヒストグラムが挙げられる。
【０１１４】
取得された階調特性情報に基づいて、印刷対象の画像の階調特性を反映した階調重みテーブル２０２が生成される（ステップＳ２０４：階調重みテーブル生成工程）。
【０１１５】
印刷対象の画像に応じた階調重みテーブルの自動生成は、印刷対象の画像が変更されるごとに実行するとよい。
【０１１６】
印刷対象の画像の階調特性に応じて、階調重みテーブルが自動的に生成されることで、印刷対象の画像の階調特性が考慮されたハーフトーン処理条件が提示され、印刷対象の画像の階調特性に適したハーフトーン処理条件の選択が可能となる。
【０１１７】
〔品質評価用チャートの説明〕
図１４から図１９は、品質評価用パターンの例を模式的に図示した説明図であり、図２０は、図１４から図１９に図示した品質評価用パターンのドット配置規則の説明図である。また、図２１は、二種類以上の品質評価用チャートから構成される品質評価用パターンの一例を模式的に示す説明図である。
【０１１８】
図１４から図１９において、１つの正方形が画素を表し、塗りつぶされた画素はドットが配置される画素を表している。
【０１１９】
以下に説明する品質評価用パターンは、単位面積あたりのドット数、空間周波数特性、ドットの凝集性についての規則性が規定されており、単位面積あたりのドット数、空間周波数特性、ドットの凝集性の観点で、ハーフトーン処理条件を評価することができるものである。
【０１２０】
図１４に図示した品質評価用パターン２２０は、ｘ方向、及びｙ方向について１画素おきにドットが配置される。また、図１５に図示した品質評価用パターン２２２は、ｘ方向について１画素おきにドットが配置され、ｙ方向について２画素おきにドットが配置されている。
【０１２１】
図１６に図示した品質評価用パターン２２４は、斜め方向にドットが配置されており、ｘ方向について１画素おき、ｙ方向について連続してドットが配置されている。図１７に図示した品質評価用パターン２２６もまた、斜め方向にドットが配置されており、千鳥状にドットが配置されている。
【０１２２】
図１８に図示した品質評価用パターン２２８、及び図１９に図示した品質評価用パターンは、ｘ方向及びｙ方向の少なくともいずれか一方にドットが連続して配置される凝集型のドット配置である。
【０１２３】
図２０に図示したドットの配置規則は、図１４から図１９に図示した品質評価用パターン２２０，２２２，２２４，２２６，２２８，２３０におけるドットが配置される点（画素）を一般化したものであり、ドットが配置される点Ｐｎ，ｍは、次式〔数１〕で表される。
【０１２４】
【数１】
2015164236.tif 000005
【０１２５】
上記〔数１〕に示すドット配置に基づき、品質評価用パターンは、ｘ方向、ｙ方向についてのドットの配置規則、凝集性、基本パターンの連続数を考慮して生成される。
【０１２６】
上記〔数１〕におけるｐｎ，ｍは、ドットが配置される点を示している。ｎ、ｍは任意の整数である。また、ａｘ、ａｙは、ベクトルａのｘ成分、ｙ成分であり、ｂｘ、ｂｙは、ベクトルｂのｘ成分、ｙ成分であり、ｃｘ、ｃｙは、ベクトルｃのｘ成分、ｙ成分である。
【０１２７】
ａα、ｂα、ｃαは、ベクトルａ、ベクトルｂ、ベクトルｃのスカラー量を表しており、ａα、ｂαは自然数、ｃαは整数である。つまり、ｎ，ｍ，ｃα∈Ｚ（Ｚは整数）、ａα，ｂα∈Ｎ（Ｎは自然数）である。
【０１２８】
ベクトルａ及びベクトルｂは、ドットが配置される点を定める際の基準ベクトルであり、ベクトルｃは、凝集的なドット配置（隣接する点にドットが配置されるドット配置）の場合に適用されるベクトルである。
【０１２９】
図２０における点ｏを基準として、ベクトルａ、ベクトルｂが決められる。ベクトルａとベクトルｂとのなす角度は任意の角度とすることができ、ベクトルａとベクトルｂとは直交していなくてもよい。
【０１３０】
点ｏの次にドットが配置される点Ｐは、点ｏからベクトルａ、ベクトルｂを整数倍にした先の点であり、Ｐｎ，ｍ＝ｏ＋ｎａ＋ｍｂと表すことができる。図２０の点Ｐ１，１は、ｎ＝１、ｍ＝１の場合のドットが配置される点を表している。
【０１３１】
さらに、凝集的なドット配置を考慮すると、ドットが配置される点Ｐｎ，ｍは、Ｐｎ，ｍ＝ｏ＋ｎａ＋ｍｂ＋ｃと表すことができる。ここで、ｃが大きすぎると他の点に配置されたドットとの区別ができなくなるので、｜ｃα／ａα≦０．５｜、｜ｃα／ｂα≦０．５｜の条件が必要となります。なお、凝集的なドット配置でない場合は、ｃ＝０となる。
【０１３２】
Ｐｎ，ｍ＝ｏ＋ｎａ＋ｍｂ＋ｃを行列式で表現すると上記〔数１〕となる。上記〔
数１〕において、ベクトルａ、ｂ、ｃを便宜的にまとめたものが行列ｘであり、ｎ、ｍをまとめたものが行列ｎである。
【０１３３】
図１４から図１９に図示した品質評価用パターン２２０，２２２,２２４，２２６，２２８，２３０における、上記〔数１〕の行列ｘは以下の〔数２〕から〔数７〕として表すことができる。
【０１３４】
【数２】
2015164236.tif 000006
【０１３５】
【数３】
2015164236.tif 000007
【０１３６】
【数４】
2015164236.tif 000008
【０１３７】
【数５】
2015164236.tif 000009
【０１３８】
【数６】
2015164236.tif 000010
【０１３９】
【数７】
2015164236.tif 000011
【０１４０】
但し、品質評価用パターンのドット配置規則は、上記の例に限定されない。予め決められた配置規則に基づくものであればよい。
【０１４１】
図２１に図示した品質評価用チャート２４０は、図１の印刷部１２にインクジェット方式が適用され、フルライン型のインクジェットヘッドを備える態様に適用される。フルライン型のインクジェットヘッドとは、インクジェットヘッドと記録媒体（用紙）との相対搬送方向（用紙送り方向）と直交する記録媒体の幅方向（ノズル並び方向）について、記録媒体の全長以上の長さにわたってノズルが配置された構造を有するインクジェットヘッドである。
【０１４２】
フルライン型のインクジェットヘッドを備えた印刷システムは、記録媒体とインクジェットヘッドとを１回だけ相対移動させることで、記録媒体の画像形成領域の全域について画像が形成されるシングルパス方式の画像形成が可能である。
【０１４３】
図２１に図示した品質評価用チャート２４０は、一種類の品質評価用パターン（図１４から図１９参照）が記録媒体の幅方向に沿って複数並べられた品質評価用パターン群２４２，２４４，２４６，２４８，２５０，２５２，２５４，２５６，２５８，２６０から構成され、品質評価用パターン群２４２，２４４，２４６，２４８，２５０，２５２，２５４，２５６，２５８，２６０は、用紙送り方向に沿って配置されている。
【０１４４】
また、品質評価用パターン群２４２，２４４，２４６，２４８，２５０，２５２，２５４，２５６，２５８，２６０は、それぞれ異なる品質評価用パターンが適用されている。
【０１４５】
図２２に図示した品質評価用チャート２７０は、図１の印刷部１２にインクジェット方式が適用され、シリアル型のインクジェットヘッドを備える態様に適用される。シリアル型のインクジェットヘッドとは、記録媒体（用紙）の搬送方向（用紙送り方向、副走査方向）について複数のノズルが配置された構造を有するインクジェットヘッドである。
【０１４６】
シリアル型のインクジェットヘッドを用いた画像形成は、記録媒体の幅方向（主走査方向）についてインクジェットヘッドを走査させながら、記録媒体の搬送方向についてノズル配置分の長さの画像形成を行い、記録媒体の搬送方向についての１回分の画像形成がされると、記録媒体を記録媒体の搬送方向に沿って一定量移動させ、次の領域について画像形成が行われる。
【０１４７】
この動作を繰り返すことで、記録媒体の画像形成領域の全域にわたって画像が形成される。
【０１４８】
品質評価用チャートを構成する品質評価用パターン群の数は、図２１に図示した品質評価用チャート２４０の十種類、図２２に図示した品質評価用チャート２４０の十二種類に限定されず、予め記憶されるハーフトーン処理条件の数、ハーフトーン処理条件の内容などに応じて適宜決められる。
【０１４９】
〔品質評価項目ごとの評価例の説明〕
次に、品質評価項目ごとの評価例について説明する。図７に図示した品質評価テーブル１０６Ａは、図９に図示した品質予測値テーブル１０８を生成する際の演算（他のテーブルとの乗算）を考慮すると、規格化されたものであることが好ましい。図７に図示した品質評価テーブル１０６Ａは、各品質評価用パターン（パターンＡ、Ｂ、Ｃ）についての定量評価値の相対比（品質評価項目ごとの値の合計が１となる値）となっている。
【０１５０】
＜粒状性の評価例＞
粒状性の評価では、粒状値（粒状性の評価値）が算出される。品質評価用チャートが形成される面内の各領域（各品質評価用パターン）について粒状値を算出し、全領域（すべての品質評価用パターン）の平均値（粒状値の合計／粒状値数）を算出し、この値が粒状値とされる。
【０１５１】
粒状値として、ＲＭＳ値、ウイナースペクトルのＶＴＦ重畳後の総和といった、公知の粒状性の評価値を適用することも可能である。
【０１５２】
＜面内むらの評価例＞
図２３は、面内むらの評価の説明図であり、品質評価用チャートが形成される面内の任意の一方向の濃度プロファイルである。図２３に図示した濃度プロファイルを用いて、品質評価用パターンごとに面内むら評価値が算出される。
【０１５３】
図２３に示すように、品質評価用パターンごとにｘ方向（記録媒体の幅方向）の濃度プロファイルが生成される。図２３では、典型的な濃度プロファイルを三種類だけ図示した。品質評価用パターンごとの濃度プロファイルが生成されると、濃度プロファイルごとに標準偏差が算出され、標準偏差を面内平均濃度で除算して、品質評価用パターンごとに面内むら評価値Ｅｐａｔ（ｔ）が算出される。なお、ｐａｔ（ｔ）は、「ｔ番目の品質評価用パターンの面内むら評価値」であることを表している。
【０１５４】
品質評価用パターンごとの面内むら評価値Ｅｐａｔ（ｔ）は、次式〔数８〕で表される。
【０１５５】
【数８】
2015164236.tif 000012
【０１５６】
＜経時むらの評価例＞
図２４は、経時むらの評価の説明図であり、異なる印刷タイミングで印刷された複数の品質評価用チャート（ｕ１枚目、ｕ２枚目、ｕ３枚目）についての、品質評価用チャートが形成される面内の任意の一方向の濃度プロファイルである。図２４に図示した濃度プロファイルを用いて、品質評価用パターンごとに経時むら評価値が算出される。
【０１５７】
図２３に示すように、品質評価用パターンごとにｘ方向（記録媒体の幅方向）の濃度プロファイルが生成される。図２３では、品質評価用チャートごとに典型的な濃度プロファイルを三種類だけ図示した。
【０１５８】
各濃度プロファイルのｘ方向の位置ごとに、濃度プロファイル間の濃度値の差を算出し、算出された濃度差値の絶対値のうち最大値を求め、求められた最大値を面内平均濃度値で除算して、経時むら評価値ｅｐａｔが算出される。経時むら評価値ｅｐａｔは、次式〔数９〕で表される。
【０１５９】
【数９】
2015164236.tif 000013
【０１６０】
＜スジの評価例＞
スジとは、画像形成面について、任意の一方向に沿って白いスジ状の濃度むら、又は黒いスジ状の濃度むらが生じた状態であり、インクジェット方式の画像形成では特定のノズルの故障に起因して発生する。
【０１６１】
スジの評価では、最もスジが強い部分のコントラスト絶対値がスジ評価値として算出される。すなわち、品質評価用チャートにおいて、最もスジが強い部分（隣接位置との濃度差が最大となる位置）について、スジ部分の濃度値から面内平均濃度値が減算され、スジ評価値が算出される。
【０１６２】
＜平均濃度の評価例＞
平均濃度の評価では、品質評価用パターンごとに平均濃度値が算出され、平均濃度評価値とされる。
【０１６３】
〔類似度の評価の説明〕
次に、図５に図示した類似度評価テーブルの生成について説明する。図２５は、類似度評価テーブル生成の流れを示す概念図である。
【０１６４】
予め、印刷システム１０に記憶されている複数のハーフトーン処理条件１と、予め、印刷システム１０に記憶されている品質評価用パターン２との類似度が評価され（ステップＳ３００：類似度評価工程）、評価された類似度に基づいて類似度テーブル１００が生成される（ステップＳ３０２：類似度テーブル生成工程）。
【０１６５】
図２６は、図２５の類似度評価工程（ステップＳ３００）の一例を示すフローチャートである。まず、二種類以上の品質評価用パターン２が生成される（ステップＳ３１０：品質評価用パターン生成工程）。
【０１６６】
次に、各ハーフトーン処理条件について、階調ごとに対応するドット配置（ハーフトーンパターン）を出力させる（ステップＳ３１２：ハーフトーンパターン出力工程）。ハーフトーンパターンの出力は、印刷でもよいし、シミュレーションでもよい。
【０１６７】
次に、出力されたハーフトーンパターンについて、単位面積あたりの各品質評価用パターンの個数が求められ（ステップＳ３１４：検索工程）、求められた個数から各品質評価用パターンとハーフトーン処理条件との類似度評価値が算出され（ステップＳ３１６：類似度評価値算出工程）、類似度テーブル１００が生成される（ステップＳ３０２：類似度テーブル生成工程）。
【０１６８】
ハーフトーン処理条件が反映されたドット配置とは独立したドット配置であり、一定の規則性を有するドットパターンを用いてハーフトーン処理条件が反映されたドット配置を解析することで、ハーフトーン処理を実行することなく、かつ、複雑な解析手法を用いることなく、各品質評価用パターンとハーフトーン処理条件との類似性を評価することができる。
【０１６９】
次に、他の類似度評価テーブル生成の例を説明する。まず、二種類以上の品質評価用パターン２が生成され（品質評価用パターン生成工程）、各ハーフトーン処理条件について、階調ごとに対応するドット配置（ハーフトーンパターン）を出力させる（ハーフトーンパターン出力工程）。ハーフトーンパターンが出力される。ここまでは、上記の例と同じである。
【０１７０】
次に、階調ごとのハーフトーンパターンの各画素位置に、品質評価用パターンとの相互相関値を計算し（相互相関値算出工程）、ハーフトーンパターンの全画素に対する、相互相関値の平均値を算出して（類似度評価値算出工程）、算出された平均値から各品質評価用パターンとハーフトーン処理条件との類似度評価値が算出され、類似度テーブル１００が生成される（類似度テーブル生成工程）。
【０１７１】
相互相関値を用いた類似度の評価は、信頼性が高い結果を得られることが期待される。
【０１７２】
以上説明した各種の評価では、実空間における評価の例について説明したが、周波数空間において各種評価を実施することも可能である。
【０１７３】
ここで説明した、ハーフトーン処理条件と品質評価用パターンとの類似度の評価を、ハーフトーン処理条件の評価として、先に説明した印刷システムとは独立して利用することができる。
【０１７４】
すなわち、ハーフトーン処理条件が反映されたドット配置とは独立したドット配置であり、一定の規則性を有するドットパターンを用いてハーフトーン処理条件が反映されたドット配置を解析することで、ハーフトーン処理を実行することなく、かつ、複雑な解析手法を用いることなく、一定の規則性を有するドットパターンの性能評価結果から、ハーフトーン処理条件の性能を把握することが可能である。
【０１７５】
〔他のシステム（装置）適用例〕
次に、他のシステム（装置）適用例について説明する。
【０１７６】
図２７は、印刷システムとして機能するインクジェット記録装置３００の全体構成図である。同図に示すインクジェット記録装置３００は、記録媒体３０２を搬送する搬送部３０４と、記録媒体３０２に対して、黒（Ｋ）、シアン（Ｃ）、マゼンタ（Ｍ）、イエロー（Ｙ）の色インクを打滴するインクジェットヘッド３０６Ｋ，３０６Ｃ，３０６Ｍ，３０６Ｙを具備する印字部３０７とを備えている。印字部３０７は、図１の印刷部１２に対応している。
【０１７７】
搬送部３０４は、無端状の搬送ベルト３０８がローラ対３１０，３１２に巻き掛けられた構造を有している。搬送部３０４は、搬送ベルト３０８の裏側（印字部３０７の反対側）から負圧（吸引圧力）を発生させる負圧発生部３１４を備えている。負圧発生部３１４は、ポンプ３１６と接続され、ポンプ３１６を動作させることで、負圧を発生させる。
【０１７８】
負圧発生部３１４により発生させえる負圧を記録媒体３０２に作用させることで、記録媒体３０２は搬送ベルト３０８に吸引固定される。
【０１７９】
記録媒体３０２の搬入部３１８には、記録媒体３０２を搬送ベルト３０８の記録媒体支持面に密着させるためのガイドローラ３２０が設けられている。また、記録媒体３０２の排出部３２２にもまた、ガイドローラ３２４が設けられている。
【０１８０】
記録媒体搬送方向における印字部３０７の上流側には、記録媒体を加熱するヒータ３２６が配置され、印字部３０７の直下に送られる記録媒体は予め設定された温度に調整される。
【０１８１】
記録媒体搬送方向における印字部３０７の下流側には、記録媒体に形成された画像を読み取るインラインセンサ３２８が配置されている。インラインセンサ３２８から取得される読取データに基づいて、インクジェットヘッド３０６Ｋ，３０６Ｃ，３０６Ｍ，３０６Ｙの吐出異常を検出することができる。
【０１８２】
図２８は、図２７に図示したインクジェットヘッド３０６Ｋ，３０６Ｃ，３０６Ｍ，３０６Ｙの構造例を示す平面透視図である。図２７に図示したインクジェットヘッド３０６Ｋ，３０６Ｃ，３０６Ｍ，３０６Ｙは共通の構造が適用されるので、図２８では、インクジェットヘッドに符号３０６を付して図示した。
【０１８３】
図２８に図示するインクジェットヘッド３０６は、インクジェットヘッド３０６と記録媒体３０２の相対搬送方向と直交する、記録媒体の幅方向（符号Ｍを付した矢印線により図示）の全長以上の長さにわたって、複数のノズルが配置されたフルライン型インクジェットヘッドである。
【０１８４】
なお、図２８に符号Ｓを付して図示した方向は、インクジェットヘッド３０６と記録媒体３０２との相対搬送方向である。
【０１８５】
図２８に図示したインクジェットヘッド３０６は、記録媒体３０２の幅方向に沿う行方向、及び記録媒体３０２の幅方向と交差する斜め方向列方向について、複数のノズル３５０が二次元状（マトリクス状）に配列された、いわゆるマトリクスヘッドである。
【０１８６】
インクジェットヘッド３０６に配置される複数のノズル３５０を記録媒体３０２の幅方向へ投影させた投影ノズル群は、同方向について複数のノズル３５０が等間隔に配置されている。
【０１８７】
インクジェット記録装置３００の印字部３０７には、図２に図示した印刷部１２の構成を適用することができる。また、インクジェット記録装置３００の画像処理部（不図示）には、図３に図示した画像処理部１８の構成を適用することができる。
【０１８８】
各ノズル３５０は、圧力室３５２と連通される。圧力室３５２には、圧力室３５２内のインクに吐出圧力を付与する吐出圧力発生素子（不図示）が設けられる。吐出力発生素子を動作させることで、圧力室３５２内のインクがノズル３５０から吐出される。
【０１８９】
吐出力発生素子は、駆動電圧の印加によってたわみ変形を生じる圧電素子や、駆動電圧の印加によって加熱される加熱素子などを適用することができる。
【０１９０】
ノズル３５０、圧力室３５２、ノズル３５０と圧力室３５２とを連通させる流路、吐出力発生素子を含む構成は、吐出素子（記録素子）３５４として機能する。
【０１９１】
なお、インクジェットヘッドは、フルライン型に限定されず、シリアル型のインクジェットヘッドを適用することができる。
【０１９２】
また、インクと反応してインクに凝集（又は不溶化）を発現させる処理液を塗布する処置液塗布工程などの前処理部を備える態様、紫外線等の活性光線の照射により硬化反応を発現させる活性光線硬化型インク（紫外線硬化型インク）を用いる態様を適用することができる。
【０１９３】
記録媒体３０２の搬送形態として、圧胴（搬送ドラム）を用いた回転搬送方式を適用することができる。また、記録媒体３０２に形成された画像を定着させる定着部などの後処理部を備える態様を適用することができる。
【０１９４】
〔ハーフトーン処理条件提示システム、方法、及びプログラムへの応用例〕
先に説明した印刷システムは、二種類以上のハーフトーン処理条件の中から、印刷装置（外部装置）のハーフトーン処理に用いられるハーフトーン選択条件を提示するハーフトーン選択条件システム、方法、プログラムへの応用が可能である。
【０１９５】
例えば、選択対象の二種類以上のハーフトーン処理条件の品質評価に用いられる品質評価チャートが予め生成されており、選択後のハーフトーン処理条件が適用される印刷装置により印刷された品質評価チャートの読取データを取得する読取データ取得部（読取データ取得工程）、品質評価チャートの読取データから品質評価情報を生成する品質評価情報生成部（品質評価情報生成工程）、選択対象のハーフトーン処理条件と品質評価用パターンとの類似の度合いを表す類似度評価情報を取得する類似度評価情報取得部（類似度評価情報取得工程）、品質評価情報及び類似度評価情報を用いて選択対象のハーフトーン処理条件の適性予測情報を生成する適性予測情報生成部（適性予測情報生成工程）、適性予測情報に基づいて、選択対象のハーフトーン処理条件の中から最適なハーフトーン処理条件を提示するハーフトーン処理条件提示部（ハーフトーン処理条件提示工程）、を備えたハーフトーン処理条件提示システム（方法）を構成することが可能である。
【０１９６】
また、ハーフトーン処理条件提示システムの各部の機能をコンピュータに実行させるプログラムを構成することが可能である。
【０１９７】
以上説明した印刷システム、印刷方法、ハーフトーンパターンの評価方法、及びハーフトーンパターンの評価システムは、本発明の趣旨を逸脱しない範囲で、適宜変更、追加、削除をすることが可能である。また、上述した各実施形態を適宜組み合わせることも可能である。
【０１９８】
〔本明細書が開示する発明〕
上記に詳述した発明の実施形態についての記載から把握されるとおり、本明細書は少なくとも以下に示す発明を含む多様な技術思想の開示を含んでいる。
【０１９９】
（第１態様）：記録媒体への印刷を実施する印刷部と、印刷対象の画像データに対してハーフトーン処理を施すハーフトーン処理部と、ハーフトーン処理部におけるハーフトーン処理に用いられるハーフトーン処理条件が二種類以上記憶されるハーフトーン処理条件記憶部と、二種類以上のハーフトーン処理条件の品質評価に用いられる品質評価用チャートであり、予め決められたドット配置規則に従ってドットが配置された品質評価用パターンが二種類以上含まれる品質評価用チャートを生成する品質評価用チャート生成部と、印刷部を制御して、生成された品質評価用チャートの印刷を印刷部に実施させる印刷制御部と、印刷された品質評価用チャートの読み取りデータを取得する品質評価用チャート読取データ取得部と、取得された品質評価用チャートの読み取りデータから、二種類以上の品質評価用パターンのそれぞれの品質を表す品質評価情報を生成する品質評価情報生成部と、記憶されている二種類以上のハーフトーン処理条件のそれぞれについて、二種類以上の品質評価用パターンのそれぞれと類似の度合いを表す類似度評価情報が記憶される類似度評価情報記憶部と、生成された品質評価情報、及び記憶されている類似度評価情報を用いて、記憶されているハーフトーン処理条件の適性予測情報を生成する適性予測情報生成部と、生成された適性予測情報に基づいて、記憶されている二種類以上のハーフトーン処理条件の中から、ハーフトーン処理部におけるハーフトーン処理に用いられるハーフトーン処理条件を選択するハーフトーン処理条件選択部と、を備えた印刷システム。
【０２００】
第１態様によれば、ハーフトーン処理に用いられるハーフトーン処理条件が二種類以上記憶される印刷システムにおいて、ハーフトーン処理条件との類似の度合いが評価されている品質評価用パターンを二種類以上含む品質評価用チャートを生成し、品質評価用チャートの読み取りデータに基づき品質評価用チャートの品質評価情報が生成される。
【０２０１】
生成された品質評価用パターンごとの品質評価情報と、品質評価用パターンとハーフトーン処理条件との類似の度合いを表す類似度評価情報を用いて、ハーフトーン処理条件ごとの適性予測情報が生成される。
【０２０２】
ハーフトーン処理の処理結果を得ることなく、生成された適性予測情報に基づいて、印刷システム、メディアの種類、印刷システムの状態に応じて、印刷に関する諸条件とのバランスが取れたハーフトーン処理条件を選択支援が可能となる。
【０２０３】
品質評価情報として、品質評価値、品質評価関数、品質評価テーブルが挙げられる。
【０２０４】
類似度評価情報として、類似度評価値、類似度評価関数、類似度評価テーブルが挙げられる。
【０２０５】
適性予測情報として、適性予測値、適性予測テーブルが挙げられる。
【０２０６】
（第２態様）：第１態様に記載の印刷システムにおいて、品質、印刷の際のコスト、印刷の際の生産性のいずれのパラメータを優先させるかを示す優先度パラメータを取得する優先度パラメータ取得部と、取得された優先度パラメータに基づいて、パラメータごとの優先度を示す優先度パラメータ情報を生成する優先度パラメータ情報生成部と、を備え、ハーフトーン処理条件選択部は、取得された優先度パラメータ情報を考慮して、記憶されている二種類以上のハーフトーン処理条件の中から、ハーフトーン処理部におけるハーフトーン処理に用いられるハーフトーン処理条件を選択する。
【０２０７】
第２態様によれば、品質、印刷の際のコスト、印刷の際の生産性のいずれのパラメータを優先させるかを示す優先度パラメータを取得することで、品質、印刷の際のコスト、印刷の際の生産性のバランスがよい、最適なハーフトーン処理条件の選択支援が可能となる。
【０２０８】
（第３態様）：第２態様に記載の印刷システムにおいて、優先度パラメータ取得部は、品質のパラメータにおける品質評価項目として、粒状性、一次元状の濃度むら、二次元状の濃度むら、経時による濃度むら、及び平均濃度のうち少なくとも１つの項目を含む優先度パラメータを取得する。
【０２０９】
第３態様によれば、粒状性、一次元状の濃度むら、二次元状の濃度むら、経時による濃度むら、及び平均濃度についてのバランスがよい、最適なハーフトーン処理条件の選択支援が可能となる。
【０２１０】
一次元状の濃度むらの例として、スジ（任意の一方向に沿う濃度むら）が挙げられる。
【０２１１】
二次元状の濃度むらの例として、品質評価用チャートが形成される面における任意の二方向についての濃度むら（面内むら）が挙げられる。
【０２１２】
（第４態様）：第２態様に記載の印刷システムにおいて、優先度パラメータ取得部は、品質のパラメータにおける品質評価項目として、位置安定性、時間安定性のうち少なくとも１つの項目を含む優先度パラメータ情報を取得する。
【０２１３】
第４態様によれば、位置安定性、時間安定性についてのバランスがよい、最適なハーフトーン処理条件の選択支援が可能となる。
【０２１４】
位置安定性の例として、粒状性、一次元状の濃度むら、二次元状の濃度むら、平均濃度が挙げられる。また、時間安定性の例として、経時による濃度むらが挙げられる。
【０２１５】
（第５態様）：第２態様から第４態様のいずれかに記載の印刷システムにおいて、優先度パラメータを設定する優先度パラメータ設定部を備えている。
【０２１６】
第５態様によれば、優先度パラメータを外部から設定することができ、設定された優先度パラメータを用いて最適なハーフトーン処理条件の選択支援が可能となる。
【０２１７】
（第６態様）：第１態様から第５態様のいずれかに記載の印刷システムにおいて、二種類以上のハーフトーン処理条件のそれぞれについて、印刷の際のコストを評価したコスト評価情報が記憶されるコスト評価情報記憶部と、二種類以上のハーフトーン処理条件のそれぞれについて、印刷の際の生産性を評価した生産性評価情報が記憶される生産性評価情報記憶部と、を備え、ハーフトーン処理条件選択部は、コスト評価情報及び生産性評価情報の少なくともいずれか一方を考慮して、記憶されている二種類以上のハーフトーン処理条件の中から、ハーフトーン処理部におけるハーフトーン処理に用いられるハーフトーン処理条件を選択する。
【０２１８】
第６態様において、コスト評価情報には、コスト評価値が記憶されたテーブル形式を適用することができる。また、生産性評価情報には、生産性評価値が記憶されたテーブル形式を適用することができる。
【０２１９】
（第７態様）：第１態様から第６態様のいずれかに記載の印刷システムにおいて、品質評価用チャート生成部は、単位面積あたりのドット数、空間周波数特性、ドットの凝集性の少なくともいずれか１つが異なる品質評価用パターンを二種類以上生成する。
【０２２０】
第７態様によれば、単位面積あたりのドット数、空間周波数特性、ドットの凝集性の観点で、ハーフトーン処理条件を評価することができる。
【０２２１】
（第８態様）：第１態様から第７態様のいずれかに記載の印刷システムにおいて、品質評価用チャート生成部は、記録媒体と印刷部との相対移動方向と直交する記録媒体の幅方向について同一種類の品質評価用パターンを複数配置させた品質評価用パターン群を含み、記録媒体と印刷部との相対移動方向について異なる種類の品質評価用パターンから成る品質評価用パターン群を配置させた品質評価用チャートを生成する。
【０２２２】
第８態様によれば、シングルパス方式の印刷において、品質評価用パターンの品質評価を効率よく実施することができる。
【０２２３】
（第９態様）：第１態様から第８態様のいずれか１項に記載の印刷システムにおいて、階調の優先度を表す階調重みを取得する階調重み取得部と、取得された階調重みに基づいて階調における優先度を表す階調重み情報を生成する階調重み情報生成部と、を備え、適性予測情報生成部は、生成された階調重み情報を用いて適性予測情報を生成する。
【０２２４】
第９態様によれば、階調の優先度（重み）が考慮されたハーフトーン処理条件の選択支援が可能となる。
【０２２５】
（第１０態様）：第９態様に記載の印刷システムにおいて、印刷対象の画像を設定する画像設定部と、設定された印刷対象の画像における階調特性情報を生成する階調特性情報生成部と、を備え、階調重み取得部は、生成された階調特性情報に基づく階調重みを取得し、階調重み情報生成部は、生成された階調特性情報に基づく階調重みを用いて、自動的に階調重み情報を生成する。
【０２２６】
第１０態様によれば、印刷対象画の画像における階調特性が反映されたハーフトーン処理条件の選択支援が可能となる。
【０２２７】
（第１１態様）：第９態様又は第１０態様に記載の印刷システムにおいて、階調重みを設定する階調重み設定部を備えている。
【０２２８】
第１１態様によれば、階調重みを外部から設定することができ、設定された階調重みが反映されたたハーフトーン処理条件の選択支援が可能となる。
【０２２９】
（第１２態様）：第１態様から第１１態様のいずれかに記載の印刷システムにおいて、類似度評価情報記憶部は、階調ごとに生成された各ハーフトーン処理条件に対応するドット配置について、単位面積あたりに含まれる品質評価用パターンの個数に基づいて生成されたハーフトーン処理条件と品質評価用パターンとの類似度を、類似度評価情報として記憶する。
【０２３０】
第１２態様によれば、ハーフトーン処理条件に対応するドット配置が複雑なものであっても、一定の規則性を有する品質評価パターンを用いて、複雑な解析手法を用いることなく、ハーフトーン処理条件と品質評価パターンとの類似性を評価することができる。
【０２３１】
（第１３態様）：第１態様から第１１態様のいずれかに記載の印刷システムにおいて、類似度評価情報記憶部は、階調ごとに生成された各ハーフトーン処理条件に対応するドット配置における画素位置ごとの品質評価用パターンとの相互相関値が算出され、各ハーフトーン処理条件に対応するドット配置の全画素に対する相互相関値の平均を類似度評価情報として記憶する。
【０２３２】
第１３態様によれば、ハーフトーン処理条件に対応するドット配置と、品質評価用パターンとの相互相関値に基づき両者の類似性を評価することで、比較的信頼性が高い類似性を評価が可能となる。
【０２３３】
（第１４態様）：記録媒体への印刷を実行する印刷部による印刷対象の画像データに対してハーフトーン処理を施すハーフトーン処理工程と、ハーフトーン処理工程におけるハーフトーン処理に用いられるハーフトーン処理条件が二種類以上記憶されるハーフトーン処理条件記憶工程と、二種類以上のハーフトーン処理条件の品質評価に用いられる品質評価用チャートであり、予め決められたドット配置規則に従ってドットが配置された品質評価用パターンが二種類以上含まれる品質評価用チャートを生成する品質評価用チャート生成工程と、生成された品質評価用チャートの印刷を印刷部に実施させる品質評価用チャート印刷工程と、印刷された品質評価用チャートの読み取りデータを取得する品質評価用チャート読取データ取得工程と、取得された品質評価用チャートの読み取りデータから、二種類以上の品質評価用パターンのそれぞれの品質を表す品質評価情報を生成する品質評価情報生成工程と、記憶されている二種類以上のハーフトーン処理条件のそれぞれについて、二種類以上の品質評価用パターンのそれぞれと類似の度合いを表す類似度評価情報が記憶される類似度評価情報記憶工程と、生成された品質評価情報、及び記憶されている類似度評価情報を用いて、二種類以上のハーフトーン処理条件について、それぞれの適性予測情報を生成する適性予測情報生成工程と、生成された適性予測情報に基づいて、記憶されている二種類以上のハーフトーン処理条件の中から、ハーフトーン処理工程におけるハーフトーン処理に用いられるハーフトーン処理条件を選択するハーフトーン処理条件選択工程と、を含む印刷方法。
【０２３４】
（第１５態様）：コンピュータに、記録媒体への印刷を実施する印刷部と、印刷対象の画像データに対してハーフトーン処理を施すハーフトーン処理部と、ハーフトーン処理部におけるハーフトーン処理に用いられるハーフトーン処理条件が二種類以上記憶されるハーフトーン処理条件記憶部と、二種類以上のハーフトーン処理条件の品質評価に用いられる品質評価用チャートであり、予め決められたドット配置規則に従ってドットが配置された品質評価用パターンが二種類以上含まれる品質評価用チャートを生成する品質評価用チャート生成部と、印刷部を制御して、生成された品質評価用チャートの印刷を印刷部に実施させる印刷制御部と、印刷された品質評価用チャートの読み取りデータを取得する品質評価用チャート読取データ取得部と、取得された品質評価用チャートの読み取りデータから、二種類以上の品質評価用パターンのそれぞれの品質を表す品質評価情報を生成する品質評価情報生成部と、記憶されている二種類以上のハーフトーン処理条件のそれぞれについて、二種類以上の品質評価用パターンのそれぞれと類似の度合いを表す類似度評価情報が記憶される類似度評価情報記憶部と、生成された品質評価情報、及び記憶されている類似度評価情報を用いて、記憶されているハーフトーン処理条件の適性予測情報を生成する適性予測情報生成部と、生成された適性予測情報に基づいて、記憶されている二種類以上のハーフトーン処理条件の中から、ハーフトーン処理部におけるハーフトーン処理に用いられるハーフトーン処理条件を選択するハーフトーン処理条件選択部、の機能を実行させる印刷プログラム。
【０２３５】
（第１６態様）：印刷対象の画像データに対するハーフトーン処理におけるドット配置の規則を表すハーフトーン処理条件の評価方法であって、評価対象となる二種類以上のハーフトーン処理条件のそれぞれについて、階調ごとにハーフトーン処理条件に対応するドット配置を生成するドット配置生成工程と、ドットが規則的に配置された品質評価用パターンを二種類以上生成する品質評価用パターン生成工程と、生成されたハーフトーン処理条件に対応するドット配置について、単位面積あたりに含まれる品質評価用パターンの個数を、ハーフトーン処理条件ごとの品質評価用パターンとの類似度評価情報として生成する類似度評価情報生成工程と、を含むハーフトーン処理条件の評価方法。
【０２３６】
第１６態様によれば、ハーフトーン処理条件に対応するドット配置が複雑なものであっても、一定の規則性を有する品質評価パターンを用いて、複雑な解析手法を用いることなく、ハーフトーン処理条件の評価をすることができる。
【０２３７】
（第１７態様）：印刷対象の画像データの対するハーフトーン処理におけるドット配置の規則を表すハーフトーン処理条件の評価システムであって、評価対象となる二種類以上のハーフトーン処理条件のそれぞれについて、階調ごとにハーフトーン処理条件に対応するドット配置を生成するドット配置生成部と、ドットが規則的に配置された品質評価用パターンを二種類以上生成する品質評価用パターン生成部と、生成されたハーフトーン処理条件に対応するドット配置について、単位面積あたりに含まれる品質評価用パターンの個数を、ハーフトーン処理条件ごとの品質評価用パターンとの類似度評価情報として生成する類似度評価情報生成部と、を備えたハーフトーン処理条件の評価システム。
【０２３８】
（第１８態様）：コンピュータに、印刷対象の画像データの対するハーフトーン処理における、ドット配置の規則を表すハーフトーン処理条件の評価システムにおける評価対象となる二種類以上のハーフトーン処理条件のそれぞれについて、階調ごとにハーフトーン処理条件に対応するドット配置を生成するドット配置生成部と、ドットが規則的に配置された品質評価用パターンを二種類以上生成する品質評価用パターン生成部と、生成されたハーフトーン処理条件に対応するドット配置について、単位面積あたりに含まれる品質評価用パターンの個数を、ハーフトーン処理条件ごとの品質評価用パターンとの類似度評価情報として生成する類似度評価情報生成部、の機能を実行させるハーフトーン処理条件の評価プログラム。
【０２３９】
（第１９態様）：選択対象の二種類以上のハーフトーン処理条件の中から、印刷装置のハーフトーン処理に適用されるハーフトーン処理条件を提示するハーフトーン処理条件提示システムであって、印刷装置を用いて印刷された、選択対象のハーフトーン処理条件の品質評価に用いられる品質評価用チャートであり、予め決められたドット配置規則に従ってドットが配置された品質評価用パターンが二種類以上含まれる品質評価用チャートの読み取りデータを取得する品質評価用チャート読取データ取得部と、取得された品質評価用チャートの読み取りデータから、二種類以上の品質評価用パターンのそれぞれの品質を表す品質評価情報を生成する品質評価情報生成部と、選択対象の二種類以上のハーフトーン処理条件のそれぞれについて、二種類以上の品質評価用パターンのそれぞれと類似の度合いを表す類似度評価情報を取得する類似度評価情報取得部と、生成された品質評価情報、及び取得された類似度評価情報を用いて、記憶されているハーフトーン処理条件の適性予測情報を生成する適性予測情報生成部と、生成された適性予測情報に基づいて、選択対象の二種類以上のハーフトーン処理条件の中から、印刷装置のハーフトーン処理に用いられるハーフトーン処理条件を提示するハーフトーン処理条件提示部と、を備えたハーフトーン処理条件提示システム。
【０２４０】
（第２０態様）：選択対象の二種類以上のハーフトーン処理条件の中から、印刷装置のハーフトーン処理に適用されるハーフトーン処理条件を提示するハーフトーン処理条件方法であって、印刷装置を用いて印刷された、選択対象のハーフトーン処理条件の品質評価に用いられる品質評価用チャートであり、予め決められたドット配置規則に従ってドットが配置された品質評価用パターンが二種類以上含まれる品質評価用チャートの読み取りデータを取得する品質評価用チャート読取データ取得工程と、取得された品質評価用チャートの読み取りデータから、二種類以上の品質評価用パターンのそれぞれの品質を表す品質評価情報を生成する品質評価情報生成工程と、選択対象の二種類以上のハーフトーン処理条件のそれぞれについて、二種類以上の品質評価用パターンのそれぞれと類似の度合いを表す類似度評価情報を取得する類似度評価情報取得工程と、生成された品質評価情報、及び取得された類似度評価情報を用いて、選択対象の二種類以上のハーフトーン処理条件の適性予測情報を生成する適性予測情報生成工程と、生成された適性予測情報に基づいて、選択対象の二種類以上のハーフトーン処理条件の中から、印刷装置のハーフトーン処理に用いられるハーフトーン処理条件を提示するハーフトーン処理条件提示工程と、を含むハーフトーン処理条件提示方法。
【０２４１】
（第２１態様）：選択対象の二種類以上のハーフトーン処理条件の中から、印刷装置のハーフトーン処理に適用されるハーフトーン処理条件を提示するハーフトーン処理条件提示システムにおけるハーフトーン処理条件提示プログラムであって、コンピュータに、印刷装置を用いて印刷された、選択対象のハーフトーン処理条件の品質評価に用いられる品質評価用チャートであり、予め決められたドット配置規則に従ってドットが配置された品質評価用パターンが二種類以上含まれる品質評価用チャートの読み取りデータを取得する品質評価用チャート読取データ取得部と、取得された品質評価用チャートの読み取りデータから、二種類以上の品質評価用パターンのそれぞれの品質を表す品質評価情報を生成する品質評価情報生成部と、選択対象の二種類以上のハーフトーン処理条件のそれぞれについて、二種類以上の品質評価用パターンのそれぞれと類似の度合いを表す類似度評価情報を取得する類似度評価情報取得部と、生成された品質評価情報、及び取得された類似度評価情報を用いて、ハーフトーン処理条件の適性予測情報を生成する適性予測情報生成部と、生成された適性予測情報に基づいて、選択対象の二種類以上のハーフトーン処理条件の中から、印刷装置のハーフトーン処理に用いられるハーフトーン処理条件を提示するハーフトーン処理条件提示部、の機能を実行させるハーフトーン処理条件提示プログラム。
【符号の説明】
【０２４２】
１０…印刷システム、１４…印刷制御部、１８…画像処理部、２０…ハーフトーン処理条件記憶部、２１…ハーフトーン処理条件提示部、２４…品質評価用チャート生成部、２６…読取データ取得部、２８…品質評価テーブル生成部、３０…品質評価テーブル記憶部、３２…類似度テーブル記憶部、３３…品質予測値テーブル生成部、３４…コスト評価テーブル記憶部、３５…品質予測値テーブル記憶部、３６…生産性評価テーブル記憶部、４０…優先度パラメータテーブル生成部、４２…優先度パラメータテーブル記憶部、４６…操作部、６８…ハーフトーン処理部、１００…類似度テーブル、１０２…コスト評価テーブル、１０４…生産性評価テーブル、１０６，１０６Ａ，１０６Ｂ…品質評価テーブル、１０８…品質予測値テーブル、１１０，１１０Ａ，１１０Ｂ…優先度パラメータテーブル、１１２，２０２…階調重みテーブル、２００…階調特性情報、２２０，２２２，２２４，２２６，２２８，２３０…品質評価用パターン、２４０，２７０…品質評価用チャート、２４２，２４４，２４６，２４８，２５０，２５２，２５４，２５６，２５８，２６０，２７２，２７４，２７６，２７８，２８０，２８２，２８４，２８６，２８８，２９０，２９２，２９４…品質評価用パターン群
【図１】
2015164236.tif 000014
【図２】
2015164236.tif 000015
【図３】
2015164236.tif 000016
【図４】
2015164236.tif 000017
【図５】
2015164236.tif 000018
【図６】
2015164236.tif 000019
【図７】
2015164236.tif 000020
【図８】
2015164236.tif 000021
【図９】
2015164236.tif 000022
【図１０】
2015164236.tif 000023
【図１１】
2015164236.tif 000024
【図１２】
2015164236.tif 000025
【図１３】
2015164236.tif 000026
【図１４】
2015164236.tif 000027
【図１５】
2015164236.tif 000028
【図１６】
2015164236.tif 000029
【図１７】
2015164236.tif 000030
【図１８】
2015164236.tif 000031
【図１９】
2015164236.tif 000032
【図２０】
2015164236.tif 000033
【図２３】
2015164236.tif 000034
【図２４】
2015164236.tif 000035
【図２５】
2015164236.tif 000036
【図２６】
2015164236.tif 000037
【図２７】
2015164236.tif 000038
【図２８】
2015164236.tif 000039
【図２１】
2015164236.tif 000040
【図２２】
2015164236.tif 000041